【手続補正書】
【提出日】平成26年9月12日(2014.9.12)
【手続補正１】
【補正対象書類名】明細書
【補正対象項目名】０１２４
【補正方法】変更
【補正の内容】
【０１２４】
様々な特定の好ましい実施形態及び技術について、本発明を説明した。しかし、本発明の理念及び範囲内に維持される限り、多くの変化及び改良を行なってよいことを理解されたい。本発明の実施態様の一部を以下の項目［１］−［１３］に記載する。
［１］
（ａ）約３００センチポアズを超える粘度を有する水不溶性油；
（ｂ）約０〜約０．３５質量％の乳化剤；及び
（ｃ）親水性希釈剤を含めて約９９．３〜約９９．９９質量％の水；
を含む潤滑剤エマルションを、コンベヤーの容器接触面の少なくとも１部分又は容器のコンベヤー接触面の少なくとも１部分に適用する工程を含む、コンベヤーに沿って容器の通路を潤滑化する方法であって、
該潤滑剤エマルションは、一定の時間に亘って適用され、かつ一定の時間に亘って適用されず、そして適用されない時間：適用される時間の比は、２：１〜３２：１である、前記方法。
［２］
前記水不溶性油は、約０．０１％〜約０．３５％の弱両親媒性化合物を含む、項目１に記載の方法。
［３］
２０ｍｍの板直径及び０．２５ｍｍの板間隔を有する平行板型レオメーターを用いて５．９秒−１の積算平均ずり速度で測定したときに、水不溶性油は、少なくとも約３００センチポアズの粘度を有する、項目１に記載の方法。
［４］
前記水不溶性油は、水不溶性非酸性脂肪族アミン化合物、水不溶性リン酸エステル化合物、及びそれらの混合物から成る群から選択される、項目１に記載の方法。
［５］
前記水不溶性油は、約０．０１〜約０．３５質量％で存在する、項目１に記載の方法。
［６］
前記水不溶性油は、前記乳化剤で乳化されており、かつ得られたエマルションは、約０．０５〜約５μｍの粒径を有する、項目１に記載の方法。
［７］
前記適用する工程は、非励起ノズルによって前記エマルションを噴霧する工程を含む、項目１に記載の方法。
［８］
前記適用する工程は、前記潤滑剤エマルションを、第一の時間に亘って適用し、かつ第二の時間に亘って適用しない工程を含み；そして該第一の時間：該第二の時間の比は、約１：約１０以上である、項目１に記載の方法。
［９］
前記エマルションは、追加成分をさらに含む、項目１に記載の方法。
［１０］
前記エマルションは、使用中に約０．４未満の摩擦係数を維持する、項目１に記載の方法。
［１１］
前記容器は、ポリエチレンテレフタレート、ポリエチレンナフタレート、ポリエチレン、ポリプロピレン、板紙、ガラス、又は金属を含む、項目１に記載の方法。
［１２］
前記潤滑剤エマルションは：
（ａ）オレイルジアミノプロパン、ココジアミノプロパン、ラウリルプロピルジアミン、ジメチルラウリルアミン、及びそれらの混合物から成る群から選択されるアミン；
（ｂ）約０．０５〜約１５質量％の乳化剤；及び
（ｃ）約５５〜約９７質量％の水、
を含み、かつ１２を超えるｐＨを有する、項目１に記載の方法。
［１３］
（ａ）ｉ）約３００センチポアズを超える粘度を有する水不溶性油；及び
ｉｉ）乳化剤
を含む潤滑剤濃縮体を提供する工程；
（ｂ）該潤滑剤濃縮体を水で希釈して：
ｉ）該水不溶性油；
ｉｉ）約０〜約０．３５％の該乳化剤；及び
ｉｉｉ）約９９．３〜約９９．９９％の水
を含む潤滑剤使用組成物を形成する工程；並びに
（ｃ）該潤滑剤使用組成物を、コンベヤーの容器接触面の少なくとも１部分又は容器のコンベヤー接触面の少なくとも１部分に適用する工程
を含む、コンベヤーに沿って容器の通路を潤滑化する方法であって、
該潤滑剤使用組成物は、一定の時間に亘って適用され、かつ一定の時間に亘って適用されず、そして適用されない時間：適用される時間の比は、２：１〜３２：１である、前記方法。
【手続補正２】
【補正対象書類名】特許請求の範囲
【補正対象項目名】全文
【補正方法】変更
【補正の内容】
【特許請求の範囲】
【請求項１】
（ａ）約３００センチポアズを超える粘度を有し、かつ１つ以上の非酸性脂肪族アミン化合物から成る０．０１％〜約０．３５％の水不溶性油；
（ｂ）約０〜約０．３５質量％の乳化剤；
（ｃ）親水性希釈剤を含めて約９９．３〜約９９．９９質量％の水；及び
（ｄ）アルカリ金属水酸化物
を含む潤滑剤エマルションを、コンベヤーの容器接触面の少なくとも１部分又は容器のコンベヤー接触面の少なくとも１部分に適用する工程を含む、コンベヤーに沿って容器の通路を潤滑化する方法であって、
該潤滑剤エマルションは、一定の時間に亘って適用され、かつ一定の時間に亘って適用されず、そして適用されない時間：適用される時間の比は、２：１〜３２：１である、前記方法。
【請求項２】
２０ｍｍの板直径及び０．２５ｍｍの板間隔を有する平行板型レオメーターを用いて５．９秒−１の積算平均ずり速度で測定したときに、前記水不溶性油は、少なくとも約３００センチポアズの粘度を有する、請求項１に記載の方法。
【請求項３】
前記非酸性脂肪族アミン化合物は、オレイルジアミノプロパン、ココジアミノプロパン、ラウリルプロピルジアミン、ジメチルラウリルアミン、及びそれらの混合物から成る群から選択される、請求項１に記載の方法。
【請求項４】
前記水不溶性油は、前記乳化剤で乳化されており、かつ得られたエマルションは、約０．０５〜約５μｍの粒径を有する、請求項１に記載の方法。
【請求項５】
前記適用する工程は、非励起ノズルによって前記エマルションを噴霧する工程を含む、請求項１に記載の方法。
【請求項６】
前記適用する工程は、前記潤滑剤エマルションを、第一の時間に亘って適用し、かつ第二の時間に亘って適用しない工程を含み；そして該第一の時間：該第二の時間の比は、約１：約１０以上である、請求項１に記載の方法。
【請求項７】
前記エマルションは、追加成分をさらに含む、請求項１に記載の方法。
【請求項８】
前記エマルションは、使用中に約０．４未満の摩擦係数を維持する、請求項１に記載の方法。
【請求項９】
前記容器は、ポリエチレンテレフタレート、ポリエチレンナフタレート、ポリエチレン、ポリプロピレン、板紙、ガラス、又は金属を含む、請求項１に記載の方法。
【請求項１０】
（ａ）ｉ）約３００センチポアズを超える粘度を有し、かつ１つ以上の非酸性脂肪族アミン化合物から成る水不溶性油；及び
ｉｉ）乳化剤
を含む潤滑剤濃縮体を提供する工程；
（ｂ）該潤滑剤濃縮体を水で希釈して：
ｉ）該水不溶性油；
ｉｉ）約０〜約０．３５％の該乳化剤；及び
ｉｉｉ）約９９．３〜約９９．９９％の水
を含む潤滑剤使用組成物を形成する工程；並びに
（ｃ）該潤滑剤使用組成物を、コンベヤーの容器接触面の少なくとも１部分又は容器のコンベヤー接触面の少なくとも１部分に適用する工程
を含む、コンベヤーに沿って容器の通路を潤滑化する方法であって、
該潤滑剤使用組成物は、一定の時間に亘って適用され、かつ一定の時間に亘って適用されず、そして適用されない時間：適用される時間の比は、２：１〜３２：１であり、かつ
該非酸性脂肪族アミン化合物は、オレイルジアミノプロパン、ココジアミノプロパン、ラウリルプロピルジアミン、ジメチルラウリルアミン、及びそれらの混合物から成る群から選択される、前記方法。
【請求項１１】
前記水不溶性油は、約５００センチポアズを超える粘度を有する、請求項１に記載の方法。
【請求項１２】
前記水不溶性油は、約１０００センチポアズを超える粘度を有する、請求項１に記載の方法。